(57)【要約】【課題】  磁気ディスクと該磁気ディスクからデータを読み出すヘッドとを具備する磁気ディスク装置の使用を不能にする方法および該方法を実行可能な情報処理装置を提供する。【解決手段】  磁気ヘッド２１５を最内周のシリンダ上に移動させる（ステップ  Ｓ２０１）。プラッタ２１０の単位時間あたりの回転回数が所定の回転回数以下になるようにスピンドルモータ２１１を制御し（ステップ  Ｓ２０２）磁気ヘッド２１５とプラッタ２１０の表面とが接触する（ステップ  Ｓ２０３）。プラッタ２１０の表面と接触している磁気ヘッド２１５をプラッタ２１０の表面と接触されている状態を保ちながら最内周のシリンダから最外周のシリンダへ移動させる（ステップ  Ｓ２０４）。磁気ヘッド２１５をプラッタ２１０の表面に接触させながら移動させることで、プラッタ２１０の表面に傷をつける。【選択図】  図５
2006107545.tif 000002
【特許請求の範囲】
【請求項１】
磁気ディスクと該磁気ディスクからデータを読み出すヘッドとを具備する磁気ディスク装置を使用不能にする方法において、
前記磁気ディスク装置が稼動状態にて、前記ヘッドを前記磁気ディスクの内周および外周のうちの何れかの周に移動させる第１の移動ステップと、
前記磁気ディスクの回転速度を減少させることで、前記磁気ディスクに前記ヘッドを接触させるステップと、
前記磁気ディスクと前記ヘッドとが接触する状態を保ちつつ、前記ディスクの前記内周および前記外周のうちの何れかの周から他方の周へ前記ヘッドを移動させる第２の移動ステップと、
を具備することを特徴とする磁気ディスク装置を使用不能にする方法。
【請求項２】
前記ディスクの前記内周および前記外周のうちの何れかの周から他方の周へ前記ヘッドを移動させた後、さらに前記他方の周から前記内周および前記外周のうちの何れかの周に前記ヘッドを移動させる第３の移動ステップをさらに有することを特徴とする請求項１記載の磁気ディスク装置を使用不能にする方法。
【請求項３】
前記磁気ディスクを使用不能にするための処理を行うか否かをユーザに選択させるステップと、
前記磁気ディスクを使用不能にするための処理を行ったことをユーザに通知するステップと、をさらに有することを特徴とする請求項１記載の磁気ディスク装置を使用不能にする方法。
【請求項４】
磁気ディスク装置を具備する情報処理装置において、
入力部と、
前記磁気ディスク装置は、
磁気ディスクと、
前記磁気ディスクからデータを読みだすヘッドと、
前記ヘッドを移動させる第１の駆動部と、
前記ディスクの回転数を制御する第２の駆動部と、
ユーザによる前記入力部の操作に基づいて、前記ヘッドを前記磁気ディスクの内周または外周のうちの何れかの周から他方の周へ前記第１の駆動部によって移動させ、前記ディスクと前記ヘッドとが接触する回転数になるように前記第２の駆動部に制御させ、前記ディスクと前記ヘッドとが接触した状態を保ちつつ、前記ディスクの前記内周および前記外周のうちの何れかの周から他方の周へ前記ヘッドを前記第１の駆動部によって移動させる制御部と、
を具備することを特徴とする情報処理装置。
【請求項５】
前記制御部は、前記ディスクの前記内周および前記外周のうちの何れかの周から他方の周へ前記ヘッドを移動させた後、さらに前記他方の周から前記内周および前記外周のうちの何れかの周に前記第１の駆動部によって前記ヘッドを移動させることを特徴とする情報処理装置。
【請求項６】
表示部と、
本情報処理装置のシステムを起動するプログラムと、をさらに有し、
前記プログラムは、
前記磁気ディスクを使用不能にするための処理を行うか否かをユーザに選択させる画面を前記表示部に表示させる手段と、
前記磁気ディスクを使用不能にするための処理を行ったことをユーザに通知する画面を前記表示部に表示させる手段と、
を具備することを特徴とする情報処理装置。
【発明の詳細な説明】
【技術分野】
【０００１】
本発明は、磁気ディスク装置の使用を不能にする方法および該方法を実行可能な情報処理装置に関する。
【背景技術】
【０００２】
近年、情報処理装置に搭載される磁気ディスク装置のディスク容量は年々増加傾向にある。また、ディスク容量が年々増加するにつれて、磁気ディスク装置の出荷台数も年々増加しており、多くの情報処理装置に磁気ディスクが搭載される傾向にある。
【０００３】
さらに、磁気ディスク装置の出荷台数が増加するにつれて、使用されなくなった磁気ディスク装置のディスクに記憶されたままであるデータを如何に処理するかという問題が生じている。磁気ディスク装置のディスクに記憶されたままであるデータの処理の仕方として、ハードディスク装置の開封を検出した際、剛体突起を用いて記録面を機械的に破壊する、といった技術があった（特許文献１参照。）。
【特許文献１】特開２００４−５５０２０号公報（第３頁、第３図）
【発明の開示】
【発明が解決しようとする課題】
【０００４】
しかしながら、特許文献１に記載されている技術は、ハードディスク装置の記録面を機械的に破壊するための剛体突起を該ハードディスク装置に設けている。従って、該ハードディスク装置の製造に要するコストとして、記録面を機械的に破壊するための剛体突起分のコストをさらに要する。
【０００５】
そこで、本発明は、磁気ディスクを使用不能にするための部材を特別に設けることなく、磁気ディスク装置の使用を不能にする方法および該方法を実行可能な情報処理装置を提供することを目的とする。
【課題を解決するための手段】
【０００６】
上記目的を達成するために、請求項１に係る、磁気ディスクと該磁気ディスクからデータを読み出すヘッドとを具備する磁気ディスク装置を使用不能にする方法において、磁気ディスク装置が稼動状態にて、ヘッドを磁気ディスクの内周および外周のうちの何れかの周に移動させる第１の移動ステップと、磁気ディスクの回転速度を減少させることで、磁気ディスクにヘッドを接触させるステップと、磁気ディスクとヘッドとが接触する状態を保ちつつ、ディスクの内周および外周のうちの何れかの周から他方の周へヘッドを移動させる第２の移動ステップと、を具備することを特徴とする。
【０００７】
また、請求項４記載の、磁気ディスク装置を具備する情報処理装置において、入力部と、磁気ディスク装置は、磁気ディスクと、磁気ディスクからデータを読みだすヘッドと、ヘッドを移動させる第１の駆動部と、ディスクの回転数を制御する第２の駆動部と、ユーザによる前記入力部の操作に基づいて、ヘッドを磁気ディスクの内周または外周のうちの何れかの周から他方の周へ第１の駆動部によって移動させ、ディスクとヘッドとが接触する回転数になるように第２の駆動部に制御させ、ディスクとヘッドとが接触した状態を保ちつつ、ディスクの内周および外周のうちの何れかの周から他方の周へヘッドを第１の駆動部によって移動させる制御部と、を具備することを特徴とする。
【発明の効果】
【０００８】
本発明によれば、磁気ディスクと該磁気ディスクからデータを読み出すヘッドとを具備する磁気ディスク装置の使用を不能にする方法および該方法を実行可能な情報処理装置を提供することが可能である。
【発明を実施するための最良の形態】
【０００９】
以下本発明に係る実施の形態を、図面を参照して説明する。
【００１０】
まず、図１を参照して、情報処理装置のシステム構成の一例について説明する。この情報処理装置は、例えば、ノートブック型パーソナルコンピュータ（以下、コンピュータと称す。）１として実現されている。
【００１１】
ホストハブ１１には、ＣＰＵ１０、メモリ１３、グラフィックスコントローラ１５およびＩ／Ｏハブ２０が接続されている。
【００１２】
ホストハブ１１はＣＰＵ１０のシステムバス１２とＩ／Ｏハブ２０との間を接続するブリッジデバイスである。ホストハブ１１にはメモリ１３へのアクセスを制御するメモリコントローラが内蔵されている。
【００１３】
ＣＰＵ１０はコンピュータ１の動作を制御するために設けられたプロセッサである。ＣＰＵ１０は外部記憶装置であるハードディスクドライブ（ＨＤＤ）２１からメモリバス１４を介してメモリ１３にロードされる、オペレーティングシステム（ＯＳ）および各種アプリケーション／ユーティリティプログラムを実行する。また、ＣＰＵ１０は、ＢＩＯＳ−ＲＯＭ２２に格納されたＢＩＯＳ（Basic Input Output System）も実行する。
【００１４】
ホストハブ１１にＡＧＰバス１６を介して接続されるグラフィクスコントローラ１５はコンピュータ１のディスプレイモニタとして使用されるＬＣＤ１８を制御する。グラフィクスコントローラ１５はビデオメモリ（ＶＲＡＭ）１７を有しており、ＯＳ／アプリケーションプログラムによってビデオメモリ１７に描画されたデータをＬＣＤ１８に表示する。
【００１５】
ホストハブ１１と例えばハブインターフェイスといった専用バスで接続されるＩ／Ｏハブ２０は、ＰＣＩ（Peripheral Component Interconnect）バス２３上の各デバイスおよびＬＰＣ（low pin count）バス２２上の各デバイスを制御する。Ｉ／Ｏハブ２０には、外部記憶装置であるＨＤＤ２１を制御するためのＩＤＥ（Integrated Drive Electronics）コントローラが内蔵される。
【００１６】
ＨＤＤ２１はＩ／Ｏハブ２０とＡＴＡバス２１ａを介して接続される。ＨＤＤ２１には、オペレーティングシステム（ＯＳ）、各種アプリケーション／ユーティリティプログラムおよびアプリケーションプログラムを使用することでユーザが作成したデータ等が記憶される。
【００１７】
ＨＤＤ２１にはＨＤＤ２１にて行われる諸制御を司るコントローラ２１ｂが設けられる。
【００１８】
ＬＰＣバス２２上にはエンベデッドコントローラ／キーボードコントローラＩＣ（ＥＣ／ＫＢＣ）２３が接続される。
【００１９】
エンベデッドコントローラ／キーボードコントローラＩＣ（ＥＣ／ＫＢＣ）２３は、電力管理のためのエンベデッドコントローラと、キーボード（ＫＢ）２９を制御するためのキーボードコントローラとが集積された１チップマイクロコンピュータである。ＥＣ／ＫＢＣ２３は、ユーザによるパワーボタンの操作に応じてコンピュータ１をパワーオン／パワーオフする機能を有している。ＥＣ／ＫＢＣ２３には、キーボード２９、ＰＳＣ（Ｐｏｗｅｒ  Ｓｕｐｐｌｙ  Ｃｏｎｔｒｏｌｅｒ）３０およびメインスイッチ３９が接続される。また、ＰＳＣ３９にはＡＣ電源３１および二次電池３２が接続される。
【００２０】
キーボード２９は入力部であり、該キーボード２９は英字、カナ、数字、記号などが刻印されたキー群で構成され、ユーザがこれらのキーを押下すると、キーに割り当てられた文字がコンピュータ１に入力される。
【００２１】
メインスイッチ３９はコンピュータ１を構成するモジュール群に電力供給を開始する際に押下げされるスイッチである。ＥＣ／ＫＢＣ２３はメインスイッチ３９が押下げられたことを検知し、ＰＳＣ３０に対してＡＣ電源３１または二次電池３２から各モジュールに電力を供給するように通知する。次にＨＤＤ２１のハードウェア構成について説明する。
【００２２】
図２は、ＨＤＤのハードウェア構成の一例を示す図である。ＨＤＤ２１はプラッタ（磁気ディスク）２１０、スピンドルモータ２１１、ボイスコイルモータ（ＶＣＭ）２１７、ピボット軸２１３、スイングアーム２１４、ボイスコイルモータIC及びヘッドアップIC２１８等で構成される。
【００２３】
プラッタ２１０は磁性体を塗布又は蒸着（スパッタリング）した磁気ディスクであり、データを記憶保持する。スピンドルモータ２１１はプラッタ２１０を回転駆動させるモータである。
【００２４】
ボイスコイルモータ（ＶＣＭ）２１７にはスイングアーム２１４が取り付けられている。スイングアーム２１４はピボット軸２１３に接続される。スイングアーム２１４の、スイングアーム２１４とボイスコイルモータ２１７との接続部に対する他端に磁気ヘッド２１５を設ける。
【００２５】
ボイスコイルモータ２１７は磁気ヘッド２１５をプラッタ２１０上の任意のトラックの位置に移動させる。ボイスコイルモータIC及びヘッドアップIC２１８からフレキケーブル２１６を介してボイスコイルモータ（ＶＣＭ）２１７に供給する電流量を制御しスイングアーム２１４のスイング量を制御することで、磁気ヘッド２１５をプラッタ２１０上の任意の位置に移動させる。
【００２６】
磁気ヘッド２１５はプラッタ２１０の表面の磁気記録層に記憶されているデータを読み込み、また磁気記録層にデータを書き込む。
【００２７】
磁気ヘッド２１５によるプラッタ２１０からのデータの読み込み、プラッタ２１０からのデータの書き込みは、磁気ヘッド２１５とプラッタ２１０とが接触しない状態を保持しながら行われる。スピンドルモータ２１１を例えば１万回転／分といった高速回転で駆動させ、プラッタ２１０と磁気ヘッド２１５との間に空気の流れを生成することで、磁気ヘッド２１５をプラッタ２１０から浮き上がらせる状態を保持する。次に、ＨＤＤ２１を使用不能にする手順の一例について説明する。
【００２８】
図３は、ＨＤＤ２１を使用不能にするための手順の一例を説明する第１のフローチャートである。図４はＢＩＯＳ設定時にＬＣＤに表示される画面の一例を示す図である。
【００２９】
ユーザがＨＤＤ２１を使用不能にしたい場合（ステップ  Ｓ１００  Ｙｅｓ）、ユーザはコンピュータ１のメインスイッチ３９を押下げした後、ＢＩＯＳ設定開始操作を行う（ステップ  Ｓ１０１）。
【００３０】
ユーザがＢＩＯＳ設定開始操作を行った後に図４に示す例えば画面ｄ１がＬＣＤ１８に表示される。画面ｄ１上のメッセージ内容に従い、ユーザがキーボード２９のキー群のひとつであるＹを入力することで、ＨＤＤ２１の使用不能にするための処理が開始される（ステップ  Ｓ１０２）。
【００３１】
図５は、ＨＤＤ２１を使用不能にするための手順の一例を説明する第２のフローチャートである。図６はＨＤＤ２１を使用不能にした後にＬＣＤ１８に表示される画面の一例を示す図である。
【００３２】
ユーザがＢＩＯＳ設定操作によってＨＤＤ２１を使用不能にするようＢＩＯＳに指示した後、ＢＩＯＳはＨＤＤ２１に設けられるコントローラ２１ａに、ＨＤＤ２１を使用不能にする処理を開始させるためのコマンドを送信する（ステップ  Ｓ２００）。
【００３３】
コントローラ２１ａはＢＩＯＳからの処理開始通知を受け取ると、ボイスコイルモータ（ＶＣＭ）２１７を制御することで、磁気ヘッド２１５をプラッタ２１０上のシリンダ中の内、例えば最内周のシリンダ上に移動させる（ステップ  Ｓ２０１）。磁気ヘッド２１５は必ずしもプラッタ２１０上の最内周のシリンダに移動させる必要は無く、プラッタ２１０上のシリンダ群の中でスピンドルモータ２１１に近い内側のシリンダに移動させるとよい。
【００３４】
ステップＳ２０１の処理後、コントローラ２１ａはプラッタ２１０の単位時間あたりの回転回数が所定の回転回数以下になるようにスピンドルモータ２１１を制御する（ステップ  Ｓ２０２）。プラッタの単位時間あたりの回転回数が所定の回転回数以下になると、やがて磁気ヘッド２１５とプラッタ２１０の表面とが接触する（ステップ  Ｓ２０３）。
【００３５】
ステップＳ２０３の処理後、ボイスコイルモータIC及びヘッドアップIC２１８がボイスコイルモータ２１７に供給する電流量を増大させることで、プラッタ２１０の表面と接触している磁気ヘッド２１５をプラッタ２１０の表面と接触されている状態を保ちながら最内周のシリンダから最外周のシリンダへ移動させる（ステップ  Ｓ２０４）。磁気ヘッド２１５をプラッタ２１０の表面に接触させながら移動させることで、プラッタ２１０の表面に傷をつける。
【００３６】
ステップＳ２０４の処理にて磁気ヘッド２１５を最内周のシリンダから最外周のシリンダへ移動させた後、さらに、磁気ヘッド２１５を最外周のシリンダから最内周のシリンダへ移動させる。
【００３７】
プラッタ２１０上での磁気ヘッド２１５の移動処理を所定の回数行った場合（ステップ  Ｓ２０５  Ｙｅｓ）、コントローラ２１ａからＢＩＯＳへＨＤＤ２１を使用不能にする処理を終了した旨を通知する（ステップ  Ｓ２０６）。
【００３８】
ＢＩＯＳはコントローラ２１ａからの処理終了通知を受け取ると、例えば図６に示す画面ｄ２がＬＣＤ１８に表示される。ユーザは画面ｄ２上のメッセージ内容を見て、ＨＤＤ２１が使用不能になったことを確認する。
【００３９】
磁気ヘッド２１５をプラッタ２１０の内周または外周に移動させた後、プラッタ２１０の回転数を低下させることで磁気ヘッド２１５とプラッタ２１０とを接触させた状態を保持しながら磁気ヘッド２１５を内周から外周へ、または外周から内周へ移動させることで、プラッタ２１０の表面に渡って傷をつけることが可能となる。従って、ＨＤＤ２１にプラッタ２１０の表面に傷をつけるための特別な部材を設けることなく、既存のＨＤＤ２１の機構を利用して、ＨＤＤ２１のプラッタ２１０に記憶されているデータを破壊することが可能となる。
【００４０】
さらに、ユーザはＢＩＯＳ設定モードを利用してＨＤＤを使用不能にする操作を行うことができるので、極めて簡単にＨＤＤを使用不能にすることが可能となる。また、ＨＤＤを使用不能にした後、ＢＩＯＳを起動すると、ＢＩＯＳがＨＤＤを認識することができず表示画面にその旨が通知されるので、ユーザはＨＤＤが使用不能になったことを簡単に認識することが可能である。
【００４１】
なお、上述にて説明した実施形態ではＨＤＤを例に挙げたが、ＨＤＤに限定する必要は無く、ＭＯ（Magneto-Optical disk）のドライブ装置等であってもよい。
【００４２】
また、上述にて説明した実施形態ではパーソナルコンピュータにＨＤＤを組み込んだシステムを例に挙げて説明したが、ジャンパスイッチが適切に設定され、かつ電源が供給されているＨＤＤ単体に上述にて説明したＨＤＤを使用不能にする方法を適用してもよい。
【００４３】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００４４】
【図１】情報処理装置のシステム構成の一例を説明する図。
【図２】ＨＤＤのハードウェア構成の一例を示す図。
【図３】ＨＤＤを使用不能にするための手順の一例を説明する第１のフローチャート。
【図４】ＢＩＯＳ設定時にＬＣＤに表示される画面の一例を示す図。
【図５】ＨＤＤを使用不能にするための手順の一例を説明する第２のフローチャート。
【図６】ＨＤＤを使用不能にした後にＬＣＤに表示される画面の一例を示す図。
【符号の説明】
【００４５】
１…情報処理装置、２１…ＨＤＤ、２１ｂ…コントローラ、
２１０…プラッタ、２１１…スピンドルモータ、２１３…ピボット軸、
２１４…スイングアーム、２１５…磁気ヘッド、
２１７…ボイスコイルモータ（ＶＣＭ）、
【図１】
2006107545.tif 000003
【図２】
2006107545.tif 000004
【図３】
2006107545.tif 000005
【図４】
2006107545.tif 000006
【図５】
2006107545.tif 000007
【図６】
2006107545.tif 000008